【手続補正書】
【提出日】平成20年1月15日(2008.1.15)
【手続補正１】
【補正対象書類名】特許請求の範囲
【補正対象項目名】全文
【補正方法】変更
【補正の内容】
【特許請求の範囲】
【請求項１】
少なくとも５５０ｎｍ近傍の波長域に分光感度を有する第１の測光センサと、赤色波長域に分光感度ピークを有する第２の測光センサと、青色波長域に分光感度ピークを有する第３の測光センサとを有し、各測光センサは測光面にマトリクス状に配列され、かつ、前記第１の測光センサが前記測光面の第１の方向に沿って少なくとも２列に配列された第１のブロックと、前記第２の測光センサと前記第３の測光センサとが前記第１の方向に沿って交互に繰り返し配列された第２のブロックと、前記第１のブロックと同一の配列の第３のブロックと、前記第２のブロックにおける前記第２の測光センサと前記第３の測光センサとが入れ替わった配列の第４のブロックとが、前記第１の方向に直交する第２の方向に沿って順次繰り返し配列されて成り、それぞれの前記測光センサで得られる複数の測光値を出力する測光部と、
前記測光部により出力された前記複数の測光値に応じて測色情報と測光情報とを取得する取得部と
を備えたことを特徴とする測光装置。
【請求項２】
請求項１に記載の測光装置において、
前記測光部は、前記第１の測光センサとして緑色フィルタを備えた受光部を用いる
ことを特徴とする測光装置。
【請求項３】
請求項１に記載の測光装置において、
前記測光部は、前記第１の測光センサとして比視感度フィルタを備えた受光部を用いる
ことを特徴とする測光装置。
【請求項４】
請求項１に記載の測光装置において、
前記測光部は、前記第１の測光センサとして黄色の補色フィルタを備えた受光部を用いる
ことを特徴とする測光装置。
【請求項５】
請求項１に記載の測光装置において、
前記測光部は、前記第１の測光センサとして全透過フィルタを備えた受光部を用いる
ことを特徴とする測光装置。
【請求項６】
請求項１から請求項５の何れか１項に記載の測光装置において、
前記測光部は、前記第１の測光センサよりも透過率の低い第４の測光センサを有し、前記第１のブロックと前記第３のブロックとの少なくとも一方の一部に、前記第１の測光センサに換えて前記第４の測光センサを備える
ことを特徴とする測光装置。
【請求項７】
請求項６に記載の測光装置において、
前記測光部は、前記第２の方向において前記第１のブロックと前記第２のブロックと前記第３のブロックと前記第４のブロックとをそれぞれ一つずつ含み、かつ、前記第１の方向において前記第２の測光センサと前記第３の測光センサとをそれぞれ一つずつ含むパターンを一つの測光領域とし、前記測光領域ごとに前記第４の測光センサを一つ備える
ことを特徴とする測光装置。
【請求項８】
請求項１から請求項７の何れか１項に記載の測光装置において、
前記測光部は、前記第１のブロックおよび前記第３のブロックが前記第２の方向に沿って２列ずつ配列されているとともに、前記第２のブロックおよび前記第４のブロックが前記第２の方向に沿って１列ずつ配列されている
ことを特徴とする測光装置。
【請求項９】
複数の受光素子がマトリクス状に配列され、前記複数の受光素子で受光した光量を検出する測光センサと、
少なくとも５５０ｎｍ近傍の波長域の光を透過する第１のフィルタと、赤色波長域の光を透過する第２のフィルタと、青色波長域の光を透過する第３のフィルタとを有し、かつ、前記第１のフィルタが前記マトリクス上に配列された前記複数の受光素子の第１の方向に沿って少なくとも２列に配列された第１のブロックと、前記第２のフィルタと前記第３のフィルタとが前記第１の方向に沿って交互に繰り返し配列された第２のブロックと、前記第１のブロックと同一の配列の第３のブロックと、前記第２のブロックにおける前記第２のフィルタと前記第３のフィルタとが入れ替わった配列の第４のブロックとが、前記第１の方向に直交する第２の方向に沿って順次繰り返し配列されて成るフィルタ群と、
前記フィルタ群を介して、前記測光センサの前記受光素子により検出された前記光量に基づいて測光情報を検出する測光部と、
前記測光部により検出された前記測光情報に基づいて測色情報を検出する測色部と
を備えたことを特徴とする測光装置。
【請求項１０】
請求項９に記載の測光装置において、
前記フィルタ群は、前記第１のフィルタとして緑色フィルタを備える
ことを特徴とする測光装置。
【請求項１１】
請求項９に記載の測光装置において、
前記フィルタ群は、前記第１のフィルタとして比視感度フィルタを備える
ことを特徴とする測光装置。
【請求項１２】
請求項９に記載の測光装置において、
前記フィルタ群は、前記第１のフィルタとして黄色の補色フィルタを備える
ことを特徴とする測光装置。
【請求項１３】
請求項９に記載の測光装置において、
前記フィルタ群は、前記第１のフィルタとして全透過フィルタを備える
ことを特徴とする測光装置。
【請求項１４】
請求項９から請求項１３の何れか１項に記載の測光装置において、
前記フィルタ群は、前記第１のフィルタよりも透過率の低い第４のフィルタを有し、前記第１のブロックと前記第３のブロックとの少なくとも一方の一部に、前記第１のフィルタに換えて前記第４のフィルタを備える
ことを特徴とする測光装置。
【請求項１５】
請求項１４に記載の測光装置において、
前記測光部は、前記第２の方向において前記第１のブロックと前記第２のブロックと前記第３のブロックと前記第４のブロックとをそれぞれ一つずつ含み、かつ、前記第１の方向において前記第２の測光センサと前記第３の測光センサとをそれぞれ一つずつ含むパターンを一つの測光領域とし、前記測光領域ごとに前記第４のフィルタを一つ備える
ことを特徴とする測光装置。
【請求項１６】
請求項９から請求項１５の何れか１項に記載の測光装置において、
前記測光部は、前記第１のブロックおよび前記第３のブロックが前記第２の方向に沿って２列ずつ配列されているとともに、前記第２のブロックおよび前記第４のブロックが前記第２の方向に沿って１列ずつ配列されている
ことを特徴とする測光装置。
【請求項１７】
請求項１から請求項１６の何れか１項に記載の測光装置を備えた
ことを特徴とするカメラ。
【手続補正２】
【補正対象書類名】明細書
【補正対象項目名】０００４
【補正方法】変更
【補正の内容】
【０００４】
本発明の測光装置は、少なくとも５５０ｎｍ近傍の波長域に分光感度を有する第１の測光センサと、赤色波長域に分光感度ピークを有する第２の測光センサと、青色波長域に分光感度ピークを有する第３の測光センサとを有し、各測光センサは測光面にマトリクス状に配列され、かつ、前記第１の測光センサが前記測光面の第１の方向に沿って少なくとも２列に配列された第１のブロックと、前記第２の測光センサと前記第３の測光センサとが前記第１の方向に沿って交互に繰り返し配列された第２のブロックと、前記第１のブロックと同一の配列の第３のブロックと、前記第２のブロックにおける前記第２の測光センサと前記第３の測光センサとが入れ替わった配列の第４のブロックとが、前記第１の方向に直交する第２の方向に沿って順次繰り返し配列されて成り、それぞれの前記測光センサで得られる複数の測光値を出力する測光部と、前記測光部により出力された前記複数の測光値に応じて測色情報と測光情報とを取得する取得部とを備えたことを特徴とする。
【手続補正３】
【補正対象書類名】明細書
【補正対象項目名】０００５
【補正方法】変更
【補正の内容】
【０００５】
なお、好ましくは、前記測光部は、前記第１の測光センサとして緑色フィルタを備えた受光部を用いても良い。
また、好ましくは、前記測光部は、前記第１の測光センサとして比視感度フィルタを備えた受光部を用いても良い。
また、好ましくは、前記測光部は、前記第１の測光センサとして黄色の補色フィルタを備えた受光部を用いても良い。
【手続補正４】
【補正対象書類名】明細書
【補正対象項目名】０００６
【補正方法】変更
【補正の内容】
【０００６】
また、好ましくは、前記測光部は、前記第１の測光センサとして全透過フィルタを備えた受光部を用いても良い。
また、好ましくは、前記測光部は、前記第１の測光センサよりも透過率の低い第４の測光センサを有し、前記第１のブロックと前記第３のブロックとの少なくとも一方の一部に、前記第１の測光センサに換えて前記第４の測光センサを備えても良い。
また、好ましくは、前記測光部は、前記第２の方向において前記第１のブロックと前記第２のブロックと前記第３のブロックと前記第４のブロックとをそれぞれ一つずつ含み、かつ、前記第１の方向において前記第２の測光センサと前記第３の測光センサとをそれぞれ一つずつ含むパターンを一つの測光領域とし、前記測光領域ごとに前記第４の測光センサを一つ備えても良い。
また、好ましくは、前記測光部は、前記第１のブロックおよび前記第３のブロックが前記第２の方向に沿って２列ずつ配列されているとともに、前記第２のブロックおよび前記第４のブロックが前記第２の方向に沿って１列ずつ配列されていても良い。
【手続補正５】
【補正対象書類名】明細書
【補正対象項目名】０００７
【補正方法】変更
【補正の内容】
【０００７】
本発明の別の測光装置は、複数の受光素子がマトリクス状に配列され、前記複数の受光素子で受光した光量を検出する測光センサと、少なくとも５５０ｎｍ近傍の波長域の光を透過する第１のフィルタと、赤色波長域の光を透過する第２のフィルタと、青色波長域の光を透過する第３のフィルタとを有し、かつ、前記第１のフィルタが前記マトリクス上に配列された前記複数の受光素子の第１の方向に沿って少なくとも２列に配列された第１のブロックと、前記第２のフィルタと前記第３のフィルタとが前記第１の方向に沿って交互に繰り返し配列された第２のブロックと、前記第１のブロックと同一の配列の第３のブロックと、前記第２のブロックにおける前記第２のフィルタと前記第３のフィルタとが入れ替わった配列の第４のブロックとが、前記第１の方向に直交する第２の方向に沿って順次繰り返し配列されて成るフィルタ群と、前記フィルタ群を介して、前記測光センサの前記受光素子により検出された前記光量に基づいて測光情報を検出する測光部と、前記測光部により検出された前記測光情報に基づいて測色情報を検出する測色部とを備えたことを特徴とする。
【手続補正６】
【補正対象書類名】明細書
【補正対象項目名】０００８
【補正方法】変更
【補正の内容】
【０００８】
なお、好ましくは、前記フィルタ群は、前記第１のフィルタとして緑色フィルタを備えても良い。
また、好ましくは、前記フィルタ群は、前記第１のフィルタとして比視感度フィルタを備えても良い。
また、好ましくは、前記フィルタ群は、前記第１のフィルタとして黄色の補色フィルタを備えても良い。
【手続補正７】
【補正対象書類名】明細書
【補正対象項目名】０００９
【補正方法】変更
【補正の内容】
【０００９】
また、好ましくは、前記フィルタ群は、前記第１のフィルタとして全透過フィルタを備えても良い。
また、好ましくは、前記フィルタ群は、前記第１のフィルタよりも透過率の低い第４のフィルタを有し、前記第１のブロックと前記第３のブロックとの少なくとも一方の一部に、前記第１のフィルタに換えて前記第４のフィルタを備えても良い。
また、好ましくは、前記測光部は、前記第２の方向において前記第１のブロックと前記第２のブロックと前記第３のブロックと前記第４のブロックとをそれぞれ一つずつ含み、かつ、前記第１の方向において前記第２の測光センサと前記第３の測光センサとをそれぞれ一つずつ含むパターンを一つの測光領域とし、前記測光領域ごとに前記第４のフィルタを一つ備えても良い。
また、好ましくは、前記測光部は、前記第１のブロックおよび前記第３のブロックが前記第２の方向に沿って２列ずつ配列されているとともに、前記第２のブロックおよび前記第４のブロックが前記第２の方向に沿って１列ずつ配列されていても良い。
【手続補正８】
【補正対象書類名】明細書
【補正対象項目名】００１０
【補正方法】変更
【補正の内容】
【００１０】
本発明のカメラは、上述した何れかの測光装置を備えたことを特徴とする。
【手続補正９】
【補正対象書類名】明細書
【補正対象項目名】００１８
【補正方法】変更
【補正の内容】
【００１８】
また、画像処理部１７は、撮像部１６により生成された画像に対してホワイトバランス調整などの所定の画像処理を施す。また、記録部１８は、画像処理部１７により画像処理が施された画像を記録し、メモリカードなどのリムーバブルメモリを着脱可能である。
【手続補正１０】
【補正対象書類名】明細書
【補正対象項目名】００１９
【補正方法】変更
【補正の内容】
【００１９】
次に、本発明の特徴である測光部１５と測光および測色情報の算出とについて詳細に説明する。
【手続補正１１】
【補正対象書類名】明細書
【補正対象項目名】００２１
【補正方法】変更
【補正の内容】
【００２１】
各測光センサは、測光面に、透過する光の波長が異なるフィルタを備えている。Ｇセンサは、緑色フィルタを備え、Ｒセンサは、赤色フィルタを備え、Ｂセンサは、青色フィルタを備える。図４は、各フィルタの分光透過係数を示すグラフである。
【手続補正１２】
【補正対象書類名】明細書
【補正対象項目名】００２２
【補正方法】変更
【補正の内容】
【００２２】
測光部１５は、非撮影時に、撮影レンズ３を透過した光束を測光素子９の各測光センサを介して受光し、それぞれの測光センサで光電変換を行って得た電荷を電圧変換する。そして、測光部１５は、電圧変換後の信号を増幅し、Ａ／Ｄ変換によりディジタル信号に変換して、測光値として制御部１４に出力する。このとき、Ｒセンサにより得られる測光値を「Ｒ」、Ｇセンサにより得られる測光値を「Ｇ」、Ｂセンサにより得られる測光値を「Ｂ」とする。
【手続補正１３】
【補正対象書類名】明細書
【補正対象項目名】００２５
【補正方法】変更
【補正の内容】
【００２５】
制御部１４は、このようにして算出したホワイトバランス係数（Ｒｗ，Ｇｗ，Ｂｗ）および輝度値（Ｙ）をもとに、ホワイトバランス調整や自動露光に関わる条件を設定する。
ここまで説明したように、測光素子９におけるＧセンサの単位面積比が、他の色センサの単位面積比よりも大きくなるように測光センサを配列することにより、式５により求められる輝度値（Ｙ）の感度が増感する。輝度値（Ｙ）は測光感度と比例関係にあるため、前述した配列により、測光感度を増感させることができる。
【手続補正１４】
【補正対象書類名】明細書
【補正対象項目名】００３４
【補正方法】変更
【補正の内容】
【００３４】
上述した問題を回避するために、測光素子９のＧセンサ（または比視感度フィルタを備えたセンサ、または黄色の補色フィルタを備えたセンサ、または全透過フィルタを備えたセンサ）の一部を、より透過率の低いセンサに変更しても良い。
図６は、測光素子９の測光面の一部を拡大した図であり、図３に示した測光素子９の一部を、ＮＤセンサに変更した場合の例を示す。ＮＤセンサは、ＮＤフィルタ（neutral density filter）を備えたセンサであり、透過率の低いセンサの一例である。図６では、枠ｋで囲んだ縦２列、横６列を１つのパターンとし、各パターンにおいて１カ所ずつ、Ｇセンサに換えてＮＤセンサを備える例を示している。